(57)【要約】【課題】薬剤効果を充分に発揮できると共に、居住空間のどこでも簡単に持ち運びでき、しかも薬剤保持体が含む薬剤の用量を多くできる送風式薬剤放散装置とする。【解決手段】吸込口１１と吐出口１２を有すると共に、ファン１３を備えた送風体１と、流入口２０と流出口２１を流路２２で連通しヒンジ３で送風体１に張り出し姿勢と収納姿勢とに亘って回動自在に連結した放出体２と、この放出体２の流路２２に設けた薬剤保持体４を備え、放出体２を張り出し姿勢としてファン１３を駆動することで吐出口１２から流入口２０に空気が流入して薬剤保持体４に沿って空気が流れて流出口２１から大気に流出し、薬剤効果を充分に発揮できると共に、放出体２を収納姿勢とすることで全体がコンパクトになるようにする。【選択図】図２
2009000041.tif 000002
【特許請求の範囲】
【請求項１】
ファン１３を駆動することで吸込口１１から吸い込んだ空気を吐出口１２から吐出する送風体１と、
流入口２０と流出口２１を流路２２で連通し、前記送風体１にヒンジ３で、張り出し姿勢と収納姿勢とに亘って回動自在に連結した放出体２と、
前記放出体２に、その流路２２を流れる空気が触れるように設けた薬剤保持体４を備え、
前記放出体２が張り出し姿勢の時には吐出口１２と流入口２０が連通し、
前記放出体２が収納姿勢の時には、送風体１に放出体２が重なり合うようにしたことを特徴とする送風式薬剤放散装置。
【請求項２】
薬剤保持体４は放出体２から露出し、その放出体２が収納姿勢の時には薬剤保持体４の放出体２から露出した部分が送風体１の吸込口１１と対向し、
前記送風体１の吐出口１２は、放出体２が収納姿勢の時には直接大気に開口するようにした請求項１記載の送風式薬剤放散装置。
【請求項３】
放出体２に補助吸込口２６を、収納姿勢の時に送風体１の吸込口１１と連通するように形成し、
薬剤保持体４は、前記補助吸込口２６と流路２２を遮断して空気流通部４ａと補助吸込口２６に空気が流通しない第１の状態と、前記補助吸込口２６と流路２２を連通して前記空気流通部４ａと補助吸込口２６に空気が流通可能な第２の状態に切り換えできるようにし、
前記放出体２が収納姿勢の時には吐出口１２が直接大気に開口するようにした請求項１記載の送風式薬剤放散装置。
【請求項４】
放出体２に、その流路２２と連通した補助吸込口２６を、収納姿勢の時に送風体１の吸込口１１と連通するように形成し、
前記放出体２が収納姿勢の時には吐出口１２が直接大気に開口し、
前記放出体２が張り出し姿勢の時には補助吸込口２６を蓋２７で閉塞できるようにした請求項１記載の送風式薬剤放散装置。
【請求項５】
放出体２が収納姿勢の時に、吐出口１２と流入口２０が連通するようにした請求項１記載の送風式薬剤放散装置。
【発明の詳細な説明】
【技術分野】
【０００１】
本発明は、害虫の防除、悪臭の消臭、芳香消臭、芳香、防菌や防黴などの目的で使用される送風式薬剤放散装置に関する。
【背景技術】
【０００２】
従来、送風式薬剤放散装置としては、吸込口と吐出口を結び空気流通路の吸い込み側、又は吐出側に薬剤を含有する薬剤保持体を配置し、送風機を駆動することで発生する気流が薬剤保持体を通過し、その薬剤を含む気流が吐出口から外部に放散するものが知られている。
薬剤保持体を吸い込み側に配置する場合、薬剤保持体が吸込口を覆う状態であることから、気流が薬剤保持体を通過する際に抵抗を受けるので通過速度が弱まり、薬剤拡散時間が遅くなる、薬剤の到達距離が短くなる、など薬効効果を充分に発揮できない。
一方、薬剤保持体を吐出側に配置し、前述のことを解消して薬剤効果を充分に発揮できるようにした送風式薬剤放散装置が特許文献１に開示されている。
【０００３】
この送風式薬剤放散装置は、ファンを内装した装置本体の吐出口側に、薬剤を含有した筒状の薬剤保持体を設け、その薬剤保持体の内部を気流が流れるようにしたもので、薬剤を含む気流（空気）がファンによる発生気流の速力のままで外部に放散できるようにしてある。
【０００４】
【特許文献１】特開２００３−６１５４５号公報
【発明の開示】
【発明が解決しようとする課題】
【０００５】
前述した従来の送風式薬剤放散装置は、薬剤保持体を取付ける部分が装置本体内に設けてあるので、装置本体が薬剤保持体の大きさに相当するだけ大きいものとなる。
一方、快適な居住空間を得るために、害虫の防除、悪臭の消臭、芳香消臭、芳香、防菌や防黴などの目的のために送風式薬剤放散装置を使用するのであるから、その送風式薬剤放散装置は居住空間のどこでも簡単に持ち運びできることが重要である。
【０００６】
このようであるから、前述した従来の送風式薬剤放散装置は、薬剤保持体の大きさには限度があり、その薬剤保持体が含む薬剤の用量にも限度がある。
【０００７】
本発明の目的は、薬剤効果を充分に発揮できること、居住空間のどこでも簡単に持ち運びできること、薬剤保持体が含む薬剤の用量を多くできること、を満足した送風式薬剤放散装置とすることである。
【課題を解決するための手段】
【０００８】
本発明は、ファン１３を駆動することで吸込口１１から吸い込んだ空気を吐出口１２から吐出する送風体１と、
流入口２０と流出口２１を流路２２で連通し、前記送風体１にヒンジ３で、張り出し姿勢と収納姿勢とに亘って回動自在に連結した放出体２と、
前記放出体２に、その流路２２を流れる空気が触れるように設けた薬剤保持体４を備え、
前記放出体２が張り出し姿勢の時には吐出口１２と流入口２０が連通し、
前記放出体２が収納姿勢の時には、送風体１に放出体２が重なり合うようにしたことを特徴とする送風式薬剤放散装置である。
【０００９】
本発明においては、薬剤保持体４は放出体２から露出し、その放出体２が収納姿勢の時には薬剤保持体４の放出体２から露出した部分が送風体１の吸込口１１と対向し、
前記送風体１の吐出口１２は、放出体２が収納姿勢の時には直接大気に開口するように構成できる。
【００１０】
このようにすれば、放出体２が収納姿勢の時にファン１３を駆動することで薬剤保持体４の放出体２から露出した部分に沿って空気が吸込口１１から吸い込みされ、吐出口１２から大気に吐出するので、薬剤を空気とともに大気に放散することができる。
したがって、放出体２の張り出し姿勢、収納姿勢の両姿勢において薬剤を大気に放散できる。また、ファン１３を駆動せず、自然状態で薬剤を大気に揮散することもできる。
【００１１】
本発明においては、放出体２に補助吸込口２６を、収納姿勢の時に送風体１の吸込口１１と連通するように形成し、
薬剤保持体４は、前記補助吸込口２６と流路２２を遮断して空気流通部４ａと補助吸込口２６に空気が流通しない第１の状態と、前記補助吸込口２６と流路２２を連通して前記空気流通部４ａと補助吸込口２６に空気が流通可能な第２の状態に切り換えできるようにし、
前記放出体２が収納姿勢の時には吐出口１２が直接大気に開口するように構成できる。
【００１２】
このようにすれば、放出体２を収納姿勢とすると共に、薬剤保持体４を第２の状態としてファン１３を駆動することで、放出体２の流路２２を通して吸込口１１から空気を吸い込み、その空気を吐出口１２から大気に吐出するので、薬剤を空気とともに大気に放散できる。
したがって、放出体２の張り出し姿勢、収納姿勢の両姿勢において薬剤を大気に放散できる。
また、薬剤保持体４に触れる空気（気流）は、張り出し姿勢においてはファンによる吐出し気流で、収納姿勢においてはファンによる吸い込み気流であるから、各姿勢で薬剤の放散量を変えることができ、使用場面によって選択することができる。
【００１３】
本発明においては、放出体２に、その流路２２と連通した補助吸込口２６を、収納姿勢の時に送風体１の吸込口１１と連通するように形成し、
前記放出体２が収納姿勢の時には吐出口１２が直接大気に開口し、
前記放出体２が張り出し姿勢の時には補助吸込口２６を蓋２７で閉塞できるように構成できる。
【００１４】
このようにすれば、放出体２が収納姿勢の時にファン１３を駆動することで放出体２の流路２２、補助吸込口２６、吸込口１１を経て空気を吸い込み、その空気を吐出口１２から直接大気に吐出するので、薬剤を空気とともに大気に放散できる。
したがって、放出体２の張り出し姿勢、収納姿勢の両姿勢において薬剤を大気に放散することができる。
また、前述と同様に各姿勢で薬剤の放散量を変えることができ、使用場面によって選択することができる。
【００１５】
本発明においては、放出体２が収納姿勢の時に、吐出口１２と流入口２０が連通するよう構成できる。
【００１６】
このようにすれば、放出体２の張り出し姿勢、収納姿勢の両姿勢において薬剤を大気に放散できる。この場合、いずれの姿勢もファンによる吐出し気流によって薬剤を大気に放散できる。
【発明の効果】
【００１７】
本発明によれば、放出体２を張り出し姿勢としてファン１３を駆動することで、吸込口１１から空気を吸い込み、その空気を吐出口１２から放出体２の流入口２０に吐出し、その空気が薬剤保持体４に触れながら流出口２１から大気に放出するので、薬剤を大気に放散できる。
また、ファン１３の吐出側に薬剤保持体４が設けてあるので、薬剤を含む空気がファン１３による発生気流の速力のまま大気に流出するので、薬剤保持体４が含む薬剤の薬剤効果を充分に発揮できる。
また、放出体２を収納姿勢とすることで全体がコンパクトになるので、居住空間のどこでも簡単に持ち運びできる。また、居住空間の使用場面として、例えば台所、居間など居室空間の全体と、冷蔵庫、食器棚などと床面や壁面との空間など限られた部分の局所空間があるが、本発明の張り出し姿勢で狭い局所空間に使用することもできる。また、収納姿勢とすることで全体をコンパクトにできることから、放出体２の大きさが自由に設計できるので薬剤保持体４が含む薬剤の用量を多くできると共に、複数の薬剤保持体の使用も可能である。
【発明を実施するための最良の形態】
【００１８】
本発明の第１の実施の形態を図１〜図４に基づいて説明する。
送風体１に放出体２をヒンジ３で図１、図２に示す張り出し姿勢と図４に示す収納姿勢とに亘って回動自在に連結してある。
前記送風体１は、空気流通路１０を有し、その空気流通路１０は吸込口１１と吐出口１２で外部に開口し、ファン１３を駆動することで吸込口１１から空気を吸い込み、吐出口１２から吐出する。
【００１９】
前記放出体２は筒形状で、流入口２０と、流出口２１と、その流入口２０と流出口２１を連通する流路２２を有している。
この放出体２が張り出し姿勢の時には図２に示すように流出口２１が送風体１から離隔した位置となり、前記吐出口１２と流入口２０が連通し、ファン１３を駆動することで流路２２内に空気が流通する。
前記放出体２が収納姿勢の時には図４に示すように放出体２は送風体１に重なり合い、全体がコンパクトになると共に、吐出口１２が外部に開口して流路２２には空気が流通しない。
【００２０】
前記放出体２の流路２２内には薬剤を含有する薬剤保持体４が取付けてある。
前述のように、放出体２を張り出し姿勢としてファン１３を駆動すると、放出体２の流路２２には空気が流通するが、その空気は薬剤保持体４に沿って流れるようにしてある。
例えば、薬剤保持体４内に空気流通部４ａを形成したり、薬剤保持体４の外面と放出体２の流路２２との間に空気流通部４ａを形成する。
【００２１】
この実施の形態では、薬剤保持体４を筒形状として内部に長手方向全長に亘った空気流通部４ａを形成している。
薬剤保持体４の外面に凹部４ｂを長手方向全長に亘って形成し、その凹部４ｂと放出体２との間に空気流通部４ａを形成している。
薬剤保持体４の４つのコーナー部を円弧状として放出体２のコーナー部との間に長手方向全長に亘った空気流通部４ａを形成する。
【００２２】
なお、前述した３種類の空気流通部４ａのいずれか１つ、又は２つを組み合わせて有するようにしても良いし、前記薬剤保持体４を空気流れ方向に通気孔を有したハニカム構造体とすれば前述の３種類の空気流通部４ａを有するようにできる。
【００２３】
前述のようであるから、放出体２を張り出し姿勢としてファン１３を駆動することで、薬剤保持体４に沿って空気が流れ、その薬剤を含む空気が、ファン１３による発生気流の速力のまま流出口２１から外部に吐出するから、ファン１３による吐出し気流で薬剤を大気に放散でき、その薬剤効果を充分に発揮できる。
また、放出体２を収納姿勢とすれば、その放出体２が送風体１に重なり合って全体がコンパクトになるので、居住空間のどこでも簡単に持ち運びできる。
また、持ち運びする時には薬剤保持体４は放出体２とともに送風体１に重なり合うようになるので、その薬剤保持体４を長くして薬剤の用量を多くしても全体をコンパクトにできるので、薬剤保持体４が含む薬剤の用量を多くできる。
【００２４】
次に、各部材の具体形状を説明する。
前記送風体１は、上面板１４と下面板１５と周面板１６で矩形状で、その上面板１４に吸込口１１が形成され、周面板１６に吐出口１２が形成してある。この送風体１の内部は仕切り壁１ａでファン室１ｂと電池室１ｃに区画され、そのファン室１ｂにファン１３と、そのファン１３を駆動するモータ１３ａが設けてある。
前記電池室１ｃには電池１７が収納してあり、この電池１７でファン１３が駆動される。
この電池室１ｃは蓋１８で開閉される。
【００２５】
前記放出体２は、上面板２３と下面２４と左右の側面板２５で偏平な矩形断面の筒形状としてある。
この放出体２の上面板２３と送風体１の上面板１４とに亘ってヒンジ３が取付けてある。
このようであるから、放出体２を狭い空間に入れ、その狭い空間の奥まで薬剤を放散することができるから、局所処理による使用に充分対応できる。
例えば、冷蔵庫、食器棚、レンジなどの物と床面との間の上下寸法の小さな狭い空間、前記物と壁面との間の左右寸法の小さな狭い空間に放出体２を挿入して、その狭い空間の奥に向けて薬剤を含有した空気を放出することで、その狭い空間に薬剤を効率よく放散できる。
【００２６】
前記放出体２を張り出し姿勢でしっかりと保持するために、送風体１の下面板１５と放出体２の下面板２４には、相互に接して保持するための保持部が形成してある。
例えば、送風体１の下面板１５における吐出口１２側部分を斜面として受け部１５ａとし、放出体２の下面板２４の流入口２０側部分に斜めの突部を設けて係止部２４ａとし、放出体２を張り出し姿勢とした時に係止部２４ａが受け部１５ａに係止して保持するようにしてある。
【００２７】
前記薬剤保持体４は、放出体２の断面形状とほぼ同一の偏平な矩形断面の筒形状で、その外面が上面板２３、下面板２４、左右の側面板２５の内側面に接するように、流入口２０から挿入して取付けられる。
【００２８】
前記放出体２を長くして収納容量を大きくすることで、その放出体２に２つの薬剤保持体４を装着することができる。
例えば、図２に示す筒形状の薬剤保持体４を放出体２の流路２２内に、長手方向に順次挿入して装着することができる。
具体的には、同じ薬剤からなる薬剤保持体４では、使用空間の大きさによって１つ使用したり２つ使用する。異なる薬剤からなる薬剤保持体４では、例えば防除害虫の違いによる２種類の殺虫剤、悪臭源の違いによる２種類の消臭剤、香りの種類の違いによる２種類の芳香剤、又は芳香剤と消臭剤、等を一緒に装着して使用することができる。２つ以上の薬剤保持体が装着できるようにしてもよい。
【００２９】
前記薬剤保持体４は筒形状に限ることはなく、前述したハニカム形状でも良いし、平板状でも良い。
前記薬剤保持体４が平板状の場合には、放出体２の流路２２内に、長手方向、幅方向、上下方向から挿入して装着し、その表面に沿って空気が流れるようにする。
【００３０】
例えば、前述した放出体２の左右の側面板２５の内側面に挿入ガイド用の溝（レール）を設け、その溝に沿って長手方向から挿入して装着する。
この場合には、薬剤保持体４の上下面と上面板２３、下面板２４の内側面との間に空気流通部４ａが形成される。
【００３１】
例えば、前述した放出体２の左右の側面板２５にスリット状の穴を対向してそれぞれ形成し、平板状の薬剤保持体４を一方のスリット状の穴から挿入して他方のスリット状の穴に挿入することで装着する。
【００３２】
例えば、前述した放出体２の上面板２３に幅広で長尺な開口を形成し、その開口から平板状の薬剤保持体４を挿入して装着する。
例えば、前述した放出体２の対角線方向に対向した２つのコーナー部に亘って平板状の薬剤保持体４を斜めに挿入し装着する。
【００３３】
前述の通り、放出体２の長手方向の寸法（長さ）を自由に設定できる。同様に、放出体２の形状も自由に設計できる。放出体２の横幅について、例えば先端（流出口２１）に向けて幅を狭くした先細り形状、全体の横幅を送風体１の横幅より狭めた形状などが例示できる。
また、放出体２の高さについて、例えば先端（流出口２１）に向けて高さを低くする形状、全体の高さが送風体１の高さよりも低い薄い形状などが例示できる。
【００３４】
次に、本発明の第２の実施の形態を図５、図６に基づいて説明する。
送風体１は第１の実施の形態と同様で、放出体２を第１の実施の形態よりも短くして薬剤保持体４が放出体２から露出した状態にしてある。
そして、放出体２を収納姿勢とした時に、図６に示すように薬剤保持体４が送風体１の吸込口１１と対向し、ファン１３を駆動することで薬剤保持体４の周囲の空気が吸込口１１から吸い込まれるようにしてある。
【００３５】
このようであるから、放出体２を収納姿勢とした時には薬剤保持体４に含有した薬剤を含む空気が吐出口１２から大気に吐出されるから、吐出口１２から薬剤を大気に直接放散することができる。つまり、ファンによる吸い込み気流で薬剤を大気に放散できる。
したがって、コンパクトな状態でも使用できる。
【００３６】
また、薬剤保持体４が大気に露出されているので、その薬剤を自然揮散することが可能である。
したがって、通常時には薬剤保持体４を自然揮散して薬剤を徐々に大気に放散させ、必要時にはファン１３を駆動して薬剤を大気に放散できる。
例えば、放出体２を収納姿勢としてファン１３を駆動することで、そのファンの吸込み気流によって薬剤を吐出口１２から大気に放散したり、又は放出体２を張り出し姿勢としてファン１３を駆動することで、そのファンの吐出し気流によって薬剤を流出口２１から大気に放散できる。
【００３７】
なお、この場合には放出体２にストッパ２ａを設け、放出体２が収納姿勢の時にストッパ２ａが図６に示すように送風体１の上面板１４に当接し、薬剤保持体４が上面板１４に接しないようにしてある。
【００３８】
前述の実施の形態では、薬剤保持体４の露出部分を、その先端が吸込口１１よりも突出して長くしてあるが、薬剤保持体４の露出部分をその先端が吸込口１１に位置するまで短くして、薬剤保持体４の外面及び内面から薬剤を吸い込むようにしても良い。
また、前記の露出部分は薬剤保持体４の全面でなくても良い。例えば、図示していないが、放出体２の片面を開放した形状とし、薬剤保持体４の片面を露出し、その露出部分を吸込み側に対向するようにしても良い。
また、放出体２と薬剤保持体４を同一長さとし、放出体２にスリット状の開口を複数形成し、その開口から薬剤保持体４が露出するようにしても良い。
【００３９】
次に、本発明の第３の実施の形態を図７〜図９に基づいて説明する。
放出体２に、その放出体２が収納姿勢の時に流路２２を送風体１の吸込口１１に連通する補助吸込口２６を形成する。例えば、放出体２の上面板２３に補助吸込口２６を形成し、送風体１の吸込口１１を補助吸込口２６と同じ形状で、若干小さいものとすると共に、その吸込口１１の開口縁に沿ってフランジ１１ａを一体的に設け、放出体２を収納姿勢とした時に補助吸込口２６がフランジ１１ａの外周面に嵌まり合って流路２２が吸込口１１に連通するようにする。
【００４０】
前記薬剤保持体４を第１・第２薬剤保持体４−１，４−２に分割し、その第１・第２薬剤保持体４−１，４−２を、放出体２の長手方向中央寄りで互いに接した第１の位置と流入口２０寄り、流出口２１寄りの第２の位置とに亘って長手方向に移動自在とする。
【００４１】
そして、第１・第２薬剤保持体４−１，４−２を第１の位置とすることで図７、図８に示すように補助吸込口２６と流路２２が第１・第２薬剤保持体４−１，４−２で遮断され、流入口２０に流入した空気が第１・第２薬剤保持体４−１，４−２の空気流通部（中空部）４ａを通って流出口２１側に流通するようにする。
【００４２】
前記放出体２を図９に示す収納姿勢とすると共に、第１・第２薬剤保持体４−１，４−２を第２の位置とすることで、補助吸込口２６が吸込口１１に連通すると共に、流路２２の長手方向中央部分が補助吸込口２６に連通するようにする。
【００４３】
このようにすれば、放出体２を張り出し姿勢とすると共に、第１・第２薬剤保持体４−１，４−２を第１の位置とし、ファン１３を駆動することで第１・第２薬剤保持体４−１，４−２が含有している薬剤を空気とともに流出口２１から大気に放散することができる。つまり、ファンによる吐出し気流で薬剤を大気に放散できる。
【００４４】
また、放出体２を収納姿勢とすると共に、第１・第２薬剤保持体４−１，４−２を第２の位置とし、ファン１３を駆動することで、図９に矢印ａで示すように第１・第２薬剤保持体４−１，４−２の空気流通部４ａを通って流路２２内に空気が流入し、その空気は補助吸込口２６、吸込口１１を経て吐出口１２から大気に流入する。
したがって、放出体２を収納姿勢とした状態で薬剤を大気に放散することができる。つまり、ファンによる吸い込み気流で薬剤を大気に放散できる。
【００４５】
次に、本発明の第４の実施の形態を図１０、図１１に基づいて説明する。
前記薬剤保持体４を、上面板４０と一対の側面板４１，４１で断面コ字形状の長尺形状とする。
前記薬剤保持体４を、放出体２が図１０に示す張り出し姿勢の時には上面板４０が放出体２の上面板２３の内面に接し、補助吸込口２６と流路２２を遮断し、かつ下面板２４の内面との間で空気流通部４ａを形成するようにする。
【００４６】
このようにすることで、放出体２を張り出し姿勢としてファン１３を駆動することで、薬剤保持体４が含有した薬剤をファンによる吐出気流で流出口２１から大気に放散できる。
【００４７】
前記放出体２が図１１に示す収納姿勢の時には、前記薬剤保持体４を放出体２から抜き出し、上下反転して再び放出体２内に挿入することで、上面板４０を下面板２４の内面に接して上面板２３の内面との間に空気流通部４ａを形成し、その空気流通部４ａが補助吸込口２６を経て吸込口１１に連通するようにする。
このようにすることで、放出体２を収納姿勢としてファン１３を駆動することで薬剤保持体４が含有している薬剤をファンによる吸い込み気流で送風体１の吐出口１２から大気に放散できる。
【００４８】
次に、本発明の第５の実施の形態を図１２、図１３に基づいて説明する。
前記薬剤保持体４を筒形状とし、その上下面の一方に空気流通用の開口部４２を形成する。
そして、放出体２が張り出し姿勢の時には図１２に示すように、薬剤保持体４を、その開口部４２が下面板２４の内面と対向して補助吸込口２６が薬剤保持体４で流路２２と遮断され、流入口２０に流入した空気が空気流通部４ａを通して流出口２１から大気に吐出するようにする。
【００４９】
このようにすれば、放出体２を張り出し姿勢としてファン１３を駆動することで、薬剤保持体４が含有した薬剤をファンによる吐出し気流で放出体２の流出口２１から大気に放散できる。
【００５０】
前記放出体２が収納姿勢の時には図１３に示すように、薬剤保持体４を前述のように上下反転して開口部４２が補助吸込口２６に連通するようにする。
このようにすることで、放出体２を収納姿勢としてファン１３を駆動することで、薬剤保持体４の含有した薬剤をファンによる吸い込み気流で送風体１の吐出口１２から大気に放散することができる。
【００５１】
前述の第３〜第５の実施の形態に示した送風式薬剤放散装置は、要約すると次のようである。
前記放出体２に補助吸込口２６を形成し、薬剤保持体４は、補助吸込口２６と流路２２を遮断して空気流通部４ａと補助吸込口２６に空気が流通しない第１の状態と、補助吸込口２６と流路２２を連通して空気流通部４ａと補助吸込口２６に空気が流通可能な第２の状態に切換えできるようにし、前記補助吸込口２６は放出体２が収納姿勢の時に送風体１の吸込口１１と連通すると共に、放出体２が収納姿勢の時に吐出口１２が直接大気に開口するようにする。
【００５２】
次に、本発明の第６の実施の形態を図１４に基づいて説明する。
この実施の形態は、前述の第３・第４・第５の実施の形態における補助吸込口２６を蓋２７で開閉自在としたものである。
このようにすれば、薬剤保持体４を移動したり、反転したりせずに、その薬剤保持体４を放出体２に、空気流通部４ａと補助吸込口２６とに亘って空気が連続して流れるように取付ければ良い。
【００５３】
例えば、第１・第２薬剤保持体４−１，４−２を流入口２０寄り、流出口２１寄りにそれぞれ取付ける。
また、図示は省略するが、平板状の薬剤保持体４を流路２２内に取付け、その上下面と流路２２の上下内面との間に空気流通部４ａを形成する。
【００５４】
前述の各実施の形態では、放出体２を張り出し姿勢とした時に送風体１の吐出口１２と放出体２の流入口２０を直接連通することで、放出体２の流路２２に空気が流れるようにしたが、これに限ることはなく、ヒンジ３を通して放出体２の流路２２に空気が流れるようにすることができる。
【００５５】
例えば、図１５、図１６に示す第７の実施の形態のように、送風体１の上面板１４に吐出口１２を形成し、その吐出口１２の周縁に沿ってリング形状の突起３０を設け、放出体２の下面板２４に流入口２０を形成し、その流入口２０の周縁に沿ってリング形状のフランジ部３１を設け、そのフランジ部３１を突起３０に回転自在に嵌合してヒンジ３とすると共に、放出体２の流路２２の流入口２０側端部をプレート３４で閉塞する。
これによって、放出体２を図１５に示す張り出し姿勢と、図１６に示す収納姿勢とに亘って回転できると共に、張り出し姿勢の放出体２の流路２２にヒンジ３を通して空気が流れるようにできる。
【００５６】
このように、ヒンジ３を通して放出体２の流路２２に空気が流れるようにすれば、放出体２が収納姿勢の時でも流路２２に空気が流れるようにできるので、放出体２が収納姿勢の時に放出体２で吸込口１１が閉塞されないようにすることで、放出体２が収納姿勢の時に薬剤を含有した空気をファンによる吐出し気流で放出体２の流出口２１から大気に放出できる。
例えば、図１６に示すように放出体２が収納姿勢の時に、その放出体２と送風体１の吸込口１１部分との間に隙間があり、その隙間を通して吸込口１１に空気が流れるようにする。
【００５７】
図１５、図１６においては、薬剤保持体４は平板状で、放出体２の左右の側面板２５に形成した開口部から挿入して放出体２の流路２２内に設けられ、その薬剤保持体４の上下面に沿って空気が流れるようにしてある。
【００５８】
この図１５、図１６に示す実施の形態において、その薬剤保持体４の放出体２内への取付けは任意なものにできる。
例えば、放出体２の上面板２３、下面板２４をヒンジ３寄りが幅狭いほぼ三角形状とし、その左右の側面板２５のヒンジ３寄りに開口部を形成し、平板状の薬剤保持体４を流出口２１から流路内に挿入してヒンジ３寄りの両側コーナー部を前記開口部に挿入して取付ける。
また、放出体２の左右の側面板２５にスリット状の開口部を流出口２１まで連続して形成し、平板状の薬剤保持体４を流出口２１側からスライドして開口部に挿入して取付ける。
また、放出体２の左右の側面板２５の内面に突条を設け、この突条の上部又は上部と下部に平板状の薬剤保持体４が接するように流出口２１から挿入して取り付ける。
また、平板状の薬剤保持体４を長手方向に離隔して複数取付ける。
【００５９】
前記薬剤保持体４を筒形状とし、放出体２の流路２２内に長手方向に向けて挿入して取付け、その中空部及び外周面と放出体２の内面との間に空気が流通するようにする。
この場合には、筒形状の薬剤保持体４を複数並設して取り付ける。
【００６０】
前述のヒンジ３を通して放出体２の流路２２に空気を流通する実施の形態においても、前述の図７〜図１４に示すと同様にすることができる。
例えば、図１７と図１８に示す第８の実施の形態のように、ヒンジ３を、放出体２が張り出し姿勢の時には吐出口１２と流入口２０が連通し、収納姿勢の時には吐出口１２が流入口２０に連通せずに補助流出口３２で直接大気に開口連通するようにする。
【００６１】
具体的には、送風体１のリング状の突起３０を放出体２の上面板２３に当接した長尺形状とし、その突起３０に補助吐出口３３を形成し、放出体２の流入口側端部を閉塞するプレート３４に補助流出口３２を形成する。
そして、放出体２が張り出し姿勢の時には図１７に示すように、補助吐出口３３が流入口２０と連通し、かつ補助流出口３２は閉塞されて吐出口１２と遮断されるようにする。
前記放出体２が収納姿勢の時には図１８に示すように補助吐出口３３と補助流出口３２が連通して吐出口１２が大気に開口し、かつ流入口２０は閉塞されて吐出口１２と流入口２０が遮断されるようにする。
【００６２】
そして、放出体２に補助吸込口２６を形成し、放出体２が張り出し姿勢の時には図１７に示すように、薬剤保持体４で補助吸込口２６と流路２２を遮断する。
前記放出体２が図１８に示すように収納姿勢の時には、補助吸込口２６と吸込口１１を連通すると共に、薬剤保持体４を流出口２１寄りに移動させ、補助吸込口２６と流路２２を連通する。
【００６３】
また、図１９、図２０に示す第９の実施の形態のように、補助吸込口２６を蓋２７で開閉可能とするようにできる。
この実施の形態の薬剤保持体４はハニカム構造体としてある。
【００６４】
また、図１７〜図２０に示す実施の形態では、放出体２が収納姿勢の時に吐出口１２が流入口２０と遮断して大気に開口しているので、その実施の形態においても前述の図５、図６に示すと同様に薬剤保持体４を放出体２から露出するように取付けできる。
この場合には、薬剤保持体４は筒形状が好ましく、その薬剤保持体４の一端部を放出体２の流路２２内に嵌合して取付けたり、放出体２の外周面に嵌合して取付けたりできるし、複数の薬剤保持体を継手で連結するようにできる。
また、薬剤保持体４を先細のテーパ形状の筒形状とすることもできる。
また、薬剤保持体４をハニカム構造体とすることもできる。
【００６５】
前述した図１５〜図２０に示す実施の形態は、ヒンジ３で放出体２が水平面方向に回転自在としたが、ヒンジ３で放出体２を上下方向に回転自在とすることもできる。
例えば、図２１〜図２３に示す第１０の実施の形態のように、送風体１の吐出口１２の周縁に沿って突起部３５を設ける。
この突起部３５はほぼ円弧形状に湾曲した上面板３５ａと一対の側面板３５ｂを有し、その上面板３５ａの一部にスリット状の補助流出口３２を形成する。
前記放出体２の流入口側の端面３６を、前記上面板３５ａに沿って１８０度回転可能な円弧状凹面とし、左右の側面板２５を前記端面３６よりも突出して取付片３７とする。
この取付片３７を前記突起部３５の側面板３５ａに接し、軸３８で上下回転自在に連結する。
【００６６】
そして、放出体２を図２２に示す張り出し姿勢とすることで吐出口１２が補助流出口３２を経て放出体２の流入口２０に連通するようにする。
前記放出体２を図２３に示す収納姿勢とすることで、補助流出口３２が直接大気に開口し、かつ吐出口１２と流入口２０が遮断するようにする。
【００６７】
この図２１〜図２３に示す実施の形態においては、前述の図５、図６に示すように薬剤保持体４を筒形状として放出体２から露出して取付けできる。
また、前述の図１７、図１８に示すと同様に放出体２に補助吸込口２６を形成すると共に、薬剤保持体４を移動するようにできる。
また、前述の図１９、図２０に示すと同様に放出体２の補助吸込口２６を蓋２７で開閉自在とすることもできる。
【００６８】
前述の図２１〜図２３に示す実施の形態においては、放出体２が収納姿勢の時に吐出口１２が大気に開口して流入口２０と遮断しているが、放出体２が収納姿勢の時にも吐出口１２が流入口２０と連通するようにしても良い。
例えば図２４〜図２６に示すように、放出体１の上面板１４に吐出口１２を形成し、その吐出口１２の開口縁に、幅方向一対の第１立上り板５０，５０と長手方向一対の第２立上り板５１，５１を矩形状に連続して設ける。
前記一対の第１立上り板５０に透孔５２をそれぞれ形成する。
前記放出体２の流入口側に円弧状の取付部6０を形成する。
この取付部６０は、左右の縦板２５と連続したほぼ円形の縦片６１と、この左右の縦片６１を連続して流入口２０を閉塞する円弧状の端面板６２を有し、その端面板６２に開口部６３を形成して流入口２０とすると共に、各縦片６１に円形の凹部６４を形成する。
【００６９】
前記放出体２の取付部６０を装置本体１の吐出口１２内に嵌め込み、軸５３を透孔５２から凹部６４に嵌合して放出体２を装置本体１に上下回動自在に取付けると共に、吐出口１２が取付部６０で閉塞されるようにする。
例えば、縦片６１が第１立上り板５０の内面に接し、端面板６２が一対の第２立上り板５１に接する。なお、一対の第２立上り板５１における端面板６２が接する部分を前記軸５３を中心とする円弧状とすることが好ましい。
【００７０】
そして、放出体２を図２５に示すように収納姿勢に回動すると、端面板６２の開口部６３（流入口２０）が吐出口１２に連通し、吐出口１２が放出体２の流路２２に連通する。
また、放出体２を図１６に示すように縦向きの張り出し姿勢とすると、端面板６２の開口部６３が吐出口１２に連通し、吐出口１２が放出体２の流路２２に連通する。
【００７１】
このようにすれば、放出体２が張り出し姿勢、収納姿勢の両姿勢の時にファンにおける吐出し気流で薬剤を放出体２の流出口２１から大気に放散できる。
【００７２】
前述の説明では放出体２が張り出し姿勢の時に、送風体１に対して収納姿勢からほぼ９０度回動したが、ほぼ１８０度回動して張り出し姿勢としても良いし、ほぼ９０度〜１８０度の範囲で回動して張り出し姿勢としても良い。
【００７３】
前記薬剤保持体４の形状としては、筒形状、棒形状、平板形状、ジャバラ形状、円弧形状、網形状、格子形状、スノコ形状、ハニカム形状、その他、袋や容器に収納した収納具形状、などが挙げられる。また、この素材としては、紙、不織布、織編物、合成樹脂、多孔物質、木材、金属、その他、乾燥及び／又は薬剤処理により加工された植物体、などが挙げられる。また、薬剤の保持処理方法としては、含浸、塗布、混合加工成型、印刷、積層、付着、その他、ハーブなどの薬効素材自体、などが挙げられる。
【００７４】
そして、薬剤保持体４の大きさ、形状、放出体２への取付け方、取付ける数は限定されるものではなく、薬剤の種類、薬量、保持体の材質、又は使用する目的などによって決めることができる。
【図面の簡単な説明】
【００７５】
【図１】本発明の第１の実施の形態を示す放出体が張り出し姿勢の時の平面図である。
【図２】図１のＡ−Ａ断面図である。
【図３】図１のＢ−Ｂ断面図である。
【図４】放出体が収納姿勢の時の断面図である。
【図５】本発明の第２の実施の形態を示す放出体が張り出し姿勢の時の平面図である。
【図６】放出体が収納姿勢の時の断面図である。
【図７】本発明の第３の実施の形態を示す放出体が張り出し姿勢の時の平面図である。
【図８】図７のＣ−Ｃ断面図である。
【図９】放出体が収納姿勢の時の断面図である。
【図１０】本発明の第４の実施の形態を示す放出体が張り出し姿勢の時の断面図である。
【図１１】放出体が収納姿勢の時の断面図である。
【図１２】本発明の第５の実施の形態を示す放出体が張り出し姿勢の時の断面図である。
【図１３】放出体が収納姿勢の時の断面図である。
【図１４】本発明の第６の実施の形態を示す放出体が張り出し姿勢の時の断面図である。
【図１５】本発明の第７の実施の形態を示す放出体が張り出し姿勢の時の断面図である。
【図１６】放出体が収納姿勢の時の断面図である。
【図１７】本発明の第８の実施の形態を示す放出体が張り出し姿勢の時の断面図である。
【図１８】放出体が収納姿勢の時の断面図である。
【図１９】本発明の第９の実施の形態を示す放出体が張り出し姿勢の時の断面図である。
【図２０】放出体が収納姿勢の時の断面図である。
【図２１】本発明の第１０の実施の形態を示す放出体が張り出し姿勢の時の平面図である。
【図２２】図２１のＤ−Ｄ断面図である。
【図２３】放出体が収納姿勢の時の断面図である。
【図２４】本発明の第１１の実施の形態を示す送風体と放出体を分解した状態の斜視図である。
【図２５】放出体が収納姿勢の時の断面図である。
【図２６】放出体が張り出し姿勢の時の断面図である。
【符号の説明】
【００７６】
１…送風体、２…放出体、３…ヒンジ、４…薬剤保持体、４ａ…空気流通部、１１…吸込口、１２…吐出口、１３…ファン、２０…流入口、２１…流出口、２２…流路、２６…補助吸込口、２７…蓋。
【図１】
2009000041.tif 000003
【図２】
2009000041.tif 000004
【図３】
2009000041.tif 000005
【図４】
2009000041.tif 000006
【図５】
2009000041.tif 000007
【図６】
2009000041.tif 000008
【図７】
2009000041.tif 000009
【図８】
2009000041.tif 000010
【図９】
2009000041.tif 000011
【図１０】
2009000041.tif 000012
【図１１】
2009000041.tif 000013
【図１２】
2009000041.tif 000014
【図１３】
2009000041.tif 000015
【図１４】
2009000041.tif 000016
【図１５】
2009000041.tif 000017
【図１６】
2009000041.tif 000018
【図１７】
2009000041.tif 000019
【図１８】
2009000041.tif 000020
【図１９】
2009000041.tif 000021
【図２０】
2009000041.tif 000022
【図２１】
2009000041.tif 000023
【図２２】
2009000041.tif 000024
【図２３】
2009000041.tif 000025
【図２４】
2009000041.tif 000026
【図２５】
2009000041.tif 000027
【図２６】
2009000041.tif 000028